(57)【要約】      （修正有）【課題】個室の出入り口に設置した扉装置の親扉を内側に開くことができなくなった場合に、子扉を個室の外側に容易に開くことができる扉装置を提供する。【解決手段】親扉８・子扉９からなる扉装置６であって、親扉８は閉鎖時に枠体７内に位置するとともに、開放時に戸先側の親扉他側縁部２０が個室の内側に開くように吊り元側の親扉一側縁部１８を左の縦枠１２に親扉用ヒンジ２１により取り付け、子扉９は閉鎖時に親扉８の開口部１９内に位置するとともに、開放時に戸先側の子扉他側縁部２４が個室の外側に開くように吊り元側の子扉一側縁部２３を親扉一側縁部１８に子扉用ヒンジ２６により取り付けた。【選択図】図１
2017048589.tif 000002
【特許請求の範囲】
【請求項１】
建物の個室の出入り口に取り付けられた枠体に親扉及び子扉からなる親子扉を組み付けた扉装置において、
前記枠体は上枠と左右の縦枠とを備え、
前記親扉は前記上枠に対応する親扉上縁部と前記左右の縦枠のいずれか一方に対応する親扉一側縁部とを残して床に対応する側と前記左右の縦枠のいずれか他方に対応する側とを切除した開口部を有する形状に形成し、
前記親扉は閉鎖時に前記枠体内に位置するとともに開放時に前記個室の内側に開くように前記左右の縦枠のいずれか一方に親扉用ヒンジにより取り付け、
前記子扉は前記開口部の寸法とほぼ一致する形状に形成し、
前記子扉は閉鎖時に前記親扉の開口部内に位置するとともに開放時に前記個室の外側に開くように子扉用ヒンジにより前記親扉に取り付け、
前記子扉を閉鎖した際に前記親扉と結合し前記子扉を開放する際に解除操作により前記親扉との結合を解除する子扉用錠機構を備え、
前記親扉を閉鎖した際に前記枠体と結合し前記親扉を開放する際に解除操作により前記枠体との結合を解除するとともに前記子扉用錠機構の解除操作により子扉を開放する際に前記枠体との結合を解除されて前記子扉の開放を許容する親扉用錠機構を備えることを特徴とする扉装置。
【請求項２】
前記親扉は前記枠体の上枠に対応する親扉上縁部と前記左右の縦枠のいずれか一方に対応する親扉一側縁部とを有する片開き戸からなり、
閉鎖時に前記枠体内に位置するとともに開放時に前記親扉他側縁部が前記個室の内側に開くように前記親扉一側縁部を前記左右の縦枠のいずれか一方に前記親扉用ヒンジにより取り付けたことを特徴とする請求項１に記載の扉装置。
【請求項３】
前記子扉は前記親扉の親扉上縁部に対応する子扉上縁部と前記親扉一側縁部に対応する子扉一側縁部と前記左右の縦枠のいずれか他方に対応する子扉他側縁部とを有する片開き扉からなり、
閉鎖時に前記親扉の開口部内に位置するとともに開放時に前記子扉他側縁部が前記個室の外側に開くように前記子扉一側縁部を前記親扉一側縁部に前記子扉用ヒンジにより取り付けたことを特徴とする請求項１に記載の扉装置。
【発明の詳細な説明】
【技術分野】
【０００１】
この発明は扉装置に係り、特に、個室の出入り口に設置した親子扉の親扉を内側に開くことができなくなった場合に子扉を外側に容易に開くことができる扉装置に関する。
【背景技術】
【０００２】
建物の個室の出入り口に設置される扉装置には、出入り口に取り付けられた枠体に親扉及び子扉からなる親子扉を組み付けたものがある。
【０００３】
従来の親子扉からなる扉装置には、枠体内に親子扉を組み込んだ扉装置であって、枠体の一方の縦枠に親扉をヒンジで取り付け、他方の縦枠に親扉よりも小さな子扉をヒンジで取り付け、子扉の上下位置に、上枠・下枠に設けた受具の嵌入部にロッドを陥入してロックするフランス落としを設け、全閉時の親扉の位置ずれに対して受具の嵌入部を移動調整可能として、親扉と子扉との隙間を無くす構造が開示されている。（特許文献１）
また、従来の親子扉からなる扉装置には、枠体内に親子扉を組み込んだ扉装置であって、枠体の一方の縦枠に中折れ戸からなる親扉をヒンジで取り付け、他方の縦枠に親扉よりも小さな片開き扉からなる子扉をヒンジで取り付け、子扉における親扉と接する側の縦かまちに高さ方向に延びるパッキングを取り付け、浴室内から外部への水漏れを防止した構造が開示されている。（特許文献２）
【先行技術文献】
【特許文献】
【０００４】
【特許文献１】特開２００２−２４２５０９号公報
【特許文献２】特開２００４−１３７７７５号公報
【発明の概要】
【発明が解決しようとする課題】
【０００５】
ところで、建物のトイレや浴室などの個室の出入り口に扉装置を設置する場合、扉を個室の内側に開くように組み付けることがある。
扉を個室の内側に開くように組み付けた扉装置は、個室内で異常が発生した場合、個室内にいる使用者や物品が障害となり、扉を内側に開くことができなくなるため、個室内の異常に対応することがことができない問題がある。
【０００６】
これに対して、親子扉からなる扉装置を設置した場合、親扉に対して子扉が小さいため、たとえ子扉を内側に開けられたとしても、個室内の異常への対応が困難な問題がある。
また、親子扉からなる扉装置は、特許文献１のように、子扉における親扉と接する側の縦かまちに、子扉を上枠・下枠にロックするフランス落としを設けている場合、親扉を開けることができないと、子扉の縦かまちに設けたフランス落としのロックを解除操作できないため、個室内の異常に対応することがことができない問題がある。
【０００７】
そこで、この発明は、親子扉からなる扉装置であって、個室内で異常が発生し、個室内に存在するものが障害となって親扉を内側へ開くことができなくなったときに、簡単な操作で子扉を外側に開き、個室内の異常に対応することができる扉装置を提供することを目的とする。
【課題を解決するための手段】
【０００８】
この発明は、建物の個室の出入り口に取り付けられた枠体に親扉及び子扉からなる親子扉を組み付けた扉装置において、前記枠体は上枠と左右の縦枠とを備え、前記親扉は前記上枠に対応する親扉上縁部と前記左右の縦枠のいずれか一方に対応する親扉一側縁部とを残して床に対応する側と前記左右の縦枠のいずれか他方に対応する側とを切除した開口部を有する形状に形成し、前記親扉は閉鎖時に前記枠体内に位置するとともに開放時に前記個室の内側に開くように前記左右の縦枠のいずれか一方に親扉用ヒンジにより取り付け、前記子扉は前記開口部の寸法とほぼ一致する形状に形成し、前記子扉は閉鎖時に前記親扉の開口部内に位置するとともに開放時に前記個室の外側に開くように子扉用ヒンジにより前記親扉に取り付け、前記子扉を閉鎖した際に前記親扉と結合し前記子扉を開放する際に解除操作により前記親扉との結合を解除する子扉用錠機構を備え、前記親扉を閉鎖した際に前記枠体と結合し前記親扉を開放する際に解除操作により前記枠体との結合を解除するとともに前記子扉用錠機構の解除操作により子扉を開放する際に前記枠体との結合を解除されて前記子扉の開放を許容する親扉用錠機構を備えることを特徴とする。
【発明の効果】
【０００９】
この発明は、親扉を個室の内側に開くことができなくなったときに、子扉用錠機構の解除操作により親扉用錠機構が枠体との結合を解除されて子扉の開放を許容するので、子扉を個室の外側に簡単に開くことができ、個室内の異常に対応することができる。
【図面の簡単な説明】
【００１０】
【図１】図１は扉装置の正面図である。（実施例）
【図２】図２は扉装置の平面図である。（実施例）
【図３】図３は図１のＡ−Ａ線による扉装置の中間省略断面図である。（実施例）
【図４】図４は図１のＢ−Ｂ線による扉装置の中間省略断面図である。（実施例）
【図５】図５は図１のＣ−Ｃ線による扉装置の断面図である。（実施例）
【図６】図６は図１のＤ−Ｄ線による扉装置の断面図である。（実施例）
【図７】図７は第１の変形例を示す扉装置の概略断面図である。（変形例）
【図８】図８は第２の変形例を示す扉装置の概略断面図である。（変形例）
【図９】図９は第３の変形例を示す扉装置の概略断面図である。（変形例）
【発明を実施するための形態】
【００１１】
以下、図面に基づいて、この発明の実施例を説明する。
【実施例】
【００１２】
図１〜図６は、この発明の実施例を示すものである。図１・図２に示すように、建物１は、躯体を構成する床２や壁３、天井（図示せず）により個室４を区画している。個室４を区画する壁３には、床２から上方に延びる長四角穴形状の出入り口５が設けられる。出入り口５には、個室４の内側と外側とを分ける扉装置６が設けられる。扉装置６は、出入り口５に枠体７を取り付け、枠体７内に親扉８及び子扉９からなる親子扉１０を組み付ける。
枠体７は、出入り口５上部に取り付けられた上枠１１と、出入り口５左右に取り付けられた縦枠１２・１３とを備える。枠体７は、上枠１１と左右の縦枠１２・１３とによって略逆Ｕ字形状に形成される。枠体７の内側には、上枠１１に上側戸当たり部１４が設けられ、左右の縦枠１２・１３にそれぞれ左側戸当たり部１５・右側戸当たり部１６が設けられる。
【００１３】
親扉８は、枠体７の上枠１１に対応する親扉上縁部１７と、左右の縦枠１２・１３のいずれか一方、実施例では左の縦枠１２に対応する親扉一側縁部１８と、を有する片開き戸からなる。親扉８は、枠体７の上枠１１に対応する親扉上縁部１７と左の縦枠１２に対応する親扉一側縁部１８とを残して、床２に対応する側と右の縦枠１３に対応する側とを切除した長四角形状の開口部１９を有する逆Ｌ字形状に形成する。親扉８は、親扉上縁部１７の右の縦枠１３側に、右の体枠１３の上部に対応する親扉他側縁部２０を備える。
親扉８は、閉鎖時に枠体７内に位置する。このとき、親扉８は、親扉上縁部１７を上戸当たり部１４に個室４の内側から接し（図３・図４参照）、親扉一側縁部１８を左側戸当たり部１５に個室４の内側から接し（図５参照）、また、親扉他側縁部２０を右側戸当たり部１６の上部に個室４の内側から接する（図６参照）。親扉８は、図２・図５に破線で示すように、開放時に戸先側の親扉他側縁部２０が個室４の内側に開くように、吊り元側の親扉一側縁部１８を左の縦枠１２に親扉用ヒンジ２１により取り付ける。
【００１４】
子扉９は、親扉８の親扉上縁部１７に対応する子扉上縁部２２と、親扉一側縁部１８に対応する子扉一側縁部２３と、左右の縦枠１２・１３のいずれか他方、実施例では右の縦枠１３に対応する子扉他側縁部２４と、を有する片開き扉からなる。子扉９は、親扉８の開口部１９の寸法とほぼ一致する長四角形状に形成する。
子扉９は、閉鎖時に親扉８の開口部１９内に位置する。このとき、子扉９は、子扉他側縁部２４を、右側戸当たり部１６に接しない（図５参照）。よって、子扉９は、開口部１９の幅よりもわずかに短い幅の長四角形状に形成される。右の縦枠１３の内側には、図５に示すように、上部の親扉他側縁部２０に対応する部分よりも下側であって、右側戸当たり部１６の個室４の内側に、子扉他側縁部２４に対応する子扉用戸当たり部２５が設けられる。子扉９は、図２・図５に破線で示すように、開放時に戸先側の子扉他側縁部２４が個室４の外側に開くように、吊り元側の子扉一側縁部２３を親扉一側縁部１８に子扉用ヒンジ２６により取り付ける。
【００１５】
扉装置６は、子扉用錠機構２７を備える。子扉用錠機構２７は、図４に示すように、受け具２８と操作具２９とからなる。受け具２８は、親扉８の個室４の外側であって、親扉他側縁部２０の下端に設けられる。操作具２９は、子扉９の個室４の外側であって、子扉他側縁部２４の上端に設けられる。
受け具２８は、受け部３０を備える。操作具２９は、バネ３１によって押進付勢されて受け具２８の受け部３０に係合するラッチ部材３２と、ラッチ部材３２をバネ３１の付勢に抗して後退させて受け部３０から離脱させる操作ハンドル３３と、を備える。ラッチ部材３２は、子扉９が個室４の外側から内側に向かって閉鎖されるときに、受け部３０との当接でバネ３１の付勢に抗して後退されて受け部３０を乗り越えるように、子扉９の閉鎖される側に傾斜面３４を備える。
【００１６】
子扉用錠機構２７は、子扉９を個室４の内側に向かって閉じる際に、子扉９の閉鎖動作につれて、受け具２８の受け部３０と操作具２９のラッチ部材３２の傾斜部３４との当接によりラッチ部材３２がバネ３１の付勢に抗して後退され、ラッチ部材３２が受け部３０を乗り越えるとバネ３１の付勢により受け部３０に係合し、子扉９を親扉８と結合する。
子扉用錠機構２７は、子扉９を個室４の外側に向かって開く際に、操作ハンドル３３の解除操作により操作具２９のラッチ部材３２をバネ３１の付勢に抗して後退させ、受け部３０から離脱させることで、子扉９の親扉８との結合を解除し、子扉９の開放を許容する。
【００１７】
扉装置６は、親扉用錠機構３５を備える。親扉用錠機構３５は、図５に示すように、ストライク３６と錠本体３７とからなる。ストライク３６は、右の縦枠１３に設けた子扉用戸当たり部２５の内側に設けられる。錠本体３７は、右の縦枠１３に設けた子扉用戸当たり部２５に対応する子扉他側縁部２４に設けられる。
ストライク３６は、係止孔３８を備える。錠本体３７は、バネ３９によって押進付勢されてストライク３５の係止孔３８に係止するラッチボルト４０と、ラッチボルト４０をバネ３９の付勢に抗して後退させて係止孔３８から離脱させる操作レバー４１と、を備える。ラッチボルト４０は、親扉８が個室４の内側から外側に向かって閉じられるときに、ストライク３６との当接で後退されてストライク３６を乗り越えるように、子扉９の開放される側に傾斜面４２を備える。
【００１８】
親扉用錠機構３５は、子扉９が結合された親扉８を個室４の外側に向かって閉じる際に、親扉８の閉鎖動作につれて、ストライク３６とラッチボルト４０の傾斜面４２との当接によりラッチボルト４０がバネ３９の付勢に抗して後退され、ラッチボルト４０がストライク３６を乗り越えるとバネ３９の付勢により係止孔３８に係止し、子扉９が結合された親扉８を右の縦枠１３に設けた子扉用戸当たり部２５と結合する。
親扉用錠機構３５は、個室４の内側に向かって親扉８を開く際に、操作レバー４１の解除操作によりラッチボルト４０をバネ３９の付勢に抗して後退させ、係止孔３８から離脱させることで、子扉９が結合された親扉８の子扉用戸当たり部２５との結合を解除し、親扉８の開放を許容する。
そして、親扉用錠機構３５は、子扉用錠機構２７の操作ハンドル３３の解除操作により子扉９を個室４の外側に向かって開く際に、子扉９の開放動作につれて、ストライク３６とラッチボルト４０に設けた傾斜面４２との当接によりラッチボルト４０がバネ３９の付勢に抗して後退され、係止孔３８から離脱されることで、子扉９の子扉用戸当たり部２５との結合を解除し、子扉９の開放を許容する。
【００１９】
また、扉装置６は、表示錠４３を備える。表示錠４３は、図３に示すように、個室４の内側に設けらたれ施錠ツマミ４４を操作することで、子扉９が結合された親扉８を子扉用戸当たり部２５に施錠・解錠できる。また、表示錠４３は、図１に示すように、施錠・解錠に応じて個室４の外側に設けられた表示窓４５に使用・未使用を表示する。さらに、表示錠４３は、緊急時に、個室４の外側に設けられた操作部４６をコインなどによって操作することで解錠することができる。
【００２０】
次に、扉装置６の動作を説明する。
通常の使用においては、扉装置６の子扉９を子扉用錠機構２７により親扉８に結合した状態とする。
扉装置６は、個室４の外側の使用者が親扉用錠機構３５の操作レバー４１を解除操作すると、錠本体３７のラッチボルト４０が係止孔３８から離脱され、子扉９が結合された親扉８の子扉用戸当たり部２５との結合が解除される。
これにより、使用者は、図２に破線で示すように、子扉９が結合された親扉８を個室４の内側に開いて、個室４に入ることができる。
扉装置６は、使用者が子扉９の結合された親扉８を閉じると、ストライク３６に傾斜面４２を当接したラッチボルト４０が後退してストライク３６を乗り越え、係止孔３８に係止することで、子扉９の結合された親扉８を子扉用戸当たり部２５と結合する。
これにより、使用者は、図２に実線で示すように、親扉８を閉じることができる。
【００２１】
親扉８を閉じた個室４内の使用者は、必要に応じて表示錠４３の施錠ツマミ４４を操作することで、子扉９の結合された親扉８を子扉用戸当たり部２５に施錠できる。表示錠４３は、施錠により個室４の外側に設けられた表示窓４５に使用中であることを表示する。
扉装置６は、個室４の内側の使用者が表示錠４３の施錠ツマミ４５を操作して解錠し、親扉用錠機構３５の操作レバー４１を解除操作すると、子扉９の結合された親扉８の子扉用戸当たり部２５との結合が解除される。
これにより、個室４の内側にいる使用者は、子扉９の結合された親扉８を個室４の内側に開いて、個室４から出ることができる。
【００２２】
使用者が施錠した状態で個室４内で異常が発生し、個室４内の使用者や物品が障害となり、親扉８を内側に開くことができなくなった場合、個室４の外側から親扉８と結合した子扉９を開くことができる。
扉装置６は、個室４の外側に設けられた表示錠４３の操作部４６をコインなどによって操作して解錠し、子扉用錠機構２７の操作ハンドル３３を解除操作すると、ラッチ部材３２が後退して受け部３０から離脱され、子扉９の親扉８との結合が解除される。
扉装置６は、子扉用錠機構２７の操作ハンドル３３で子扉９を開くと、子扉９の開放動作につれて、親扉用錠機構３５のストライク３６とラッチボルト４０に設けた傾斜面４２との当接によりラッチボルト４０が後退され、係止孔３８から離脱される。
これにより、子扉９と子扉用戸当たり部２５との結合が解除され、個室４の外側にいる人間は、図２に破線で示すように、子扉９を外側に開くことができる。
【００２３】
このように、扉装置６は、親扉９を個室４の内側に開くことができなくなったときに、子扉用錠機構２７の解除操作により親扉用錠機構３５が右の縦枠１３に設けた子扉用戸当たり部２５との結合を解除されて子扉９の開放を許容するので、子扉９を個室４の外側に簡単に開くことができ、個室４内の異常に対応することができる。
【００２４】
なお、上述実施例においては、親扉８は閉鎖時に枠体７内に位置するとともに開放時に戸先側の親扉他側縁部２０が個室４の内側に開くように吊り元側の親扉一側縁部１８を左の縦枠１２に親扉用ヒンジ２１により取り付け、一方、子扉９は閉鎖時に親扉８の開口部１９内に位置するとともに開放時に戸先側の子扉他側縁部２４が個室４の外側に開くように吊り元側の子扉一側縁部２３を親扉一側縁部１８に子扉用ヒンジ２６により取り付けたが、これに限定されるものではない。
例えば、扉装置６は、図７に示すように、親扉８は閉鎖時に枠体７内に位置するとともに、開放時に戸先側の親扉他側縁部２０が個室４の内側に開くように吊り元側の親扉一側縁部１８を右の縦枠１３に親扉用ヒンジ２１により取り付け、一方、子扉９は閉鎖時に親扉８の開口部１９内に位置するとともに、開放時に戸先側の子扉他側縁部２４が個室４の外側に開くように吊り元側の子扉一側縁部２３を親扉一側縁部１８に子扉用ヒンジ２６により取り付けることで、子扉９を個室４の外側に簡単に開くことができ、個室４内の異常に対応することができる。
また、扉装置６は、図８に示すように、親扉８は閉鎖時に枠体７内に位置するとともに、開放時に戸先側の親扉他側縁部２０が個室４の内側に開くように吊り元側の親扉一側縁部１８を左の縦枠１２に親扉用ヒンジ２１により取り付け、一方、子扉９は閉鎖時に親扉８の開口部１９内に位置するとともに、開放時に戸先側の子扉一側縁部２３が個室４の外側に開くように吊り元側の子扉他側縁部２４を親扉上縁部１７に子扉用ヒンジ２６により取り付けることで、子扉９を個室４の外側に簡単に開くことができ、個室４内の異常に対応することができる。
【００２５】
さらに、上述実施例においては、親扉８及び子扉９を片開き扉としたが、これに限定されるものではない。
例えば、扉装置６は、図９に示すように、子扉９は親扉８の親扉一側縁部１８に対応する子扉一側縁部２３を有する一側子扉部分４７と、右の縦枠１３に対応する子扉他側縁部２４を有する他側子扉部分４８とに中間部において縦方向に分割し、中折れヒンジ４９により折曲げ可能とした中折れ戸とすることができる。
図９の扉装置６は、親扉８は閉鎖時に枠体７内に位置するとともに、開放時に戸先側の親扉他側縁部２０が個室４の内側に開くように吊り元側の親扉一側縁部１８を左の縦枠１２に親扉用ヒンジ２１により取り付け、一方、子扉９は閉鎖時に親扉８の開口部１９内に位置するとともに、開放時に一側子扉部分４７及び他側子扉部分４８が中折れヒンジ４９により折れ曲がり、他側子扉部分４８が親扉上縁部１７との間に設けたスライド機構５０によりスライドして親扉一側縁部１８に近づきつつ個室４の外側に開くように子扉一側縁部２３を親扉一側縁部１８に子扉用ヒンジ２６により取り付けることで、子扉９を個室４の外側に簡単に開くことができ、個室４内の異常に対応することができる。
【産業上の利用可能性】
【００２６】
この発明は、親子扉からなる扉装置であって、親扉を個室の内側へ開くことができなくなったときに、簡単な操作で子扉を外側に開き、個室内の異常に対応することができるものであり、緊急避難用の防災扉などに応用することができる。
【符号の説明】
【００２７】
１  建物
２  床
３  壁
４  個室
５  出入り口
６  扉装置
７  枠体
８  親扉
９  子扉
１０  親子扉
１７  親扉上縁部
１８  親扉一側縁部
１９  開口部
２０  親扉他側縁部
２１  親扉用ヒンジ
２２  子扉上縁部
２３  子扉一側縁部
２４  子扉他側縁部
２６  子扉用ヒンジ
２７  子扉用錠機構
２８  受け具
２９  操作具
３０  受け部
３１  バネ
３２  ラッチ部材
３３  操作ハンドル
３４  傾斜面
３５  親扉用錠機構
３６  ストライク
３７  錠本体
３８  係止孔
３９  バネ
４０  ラッチボルト
４１  操作レバー
４２  傾斜面
４３  表示錠
【図１】
2017048589.tif 000003
【図２】
2017048589.tif 000004
【図３】
2017048589.tif 000005
【図４】
2017048589.tif 000006
【図５】
2017048589.tif 000007
【図６】
2017048589.tif 000008
【図７】
2017048589.tif 000009
【図８】
2017048589.tif 000010
【図９】
2017048589.tif 000011